(57)【要約】【課題】冷蔵庫の製氷生成に関し，電源投入時に揺動しない制御を用いることで，急速な氷の生成と静粛性の確保、機械的寿命の延命を図る。【解決手段】製氷室２に配置された製氷皿１４と、製氷皿１４を回転させる出力軸１７を有し、出力軸１７によって製氷皿１４を所定角度回転させて氷を前記製氷皿１４から放出させる駆動装置１５と、駆動装置１５の駆動源であるステッピングモータ１６の回転を制御する制御装置２６とを備え、電源投入時に制御装置２６から製氷皿１４へ駆動装置１５によって揺動を与えずに通常製氷する制御を用い、以降の製氷には製氷皿１４に供給された水が氷になるまで製氷皿１４へ駆動装置１５によって揺動を与える構成にする。【選択図】  図３
2004293965.tif 000002
【特許請求の範囲】
【請求項１】
製氷皿を回動して氷を離氷させる駆動装置により、製氷中に前記製氷皿を揺動させる機能を持つ自動製氷装置と、前記製氷皿が設けられた庫内の温度を検知する温度センサーとを備え、前記温度センサーが予め定めた所定温度以上を検知した時には，前記駆動装置による前記製氷皿の揺動動作を停止させることを特徴とする冷蔵庫。
【発明の詳細な説明】
【０００１】
【発明の属する技術分野】
本発明は，製氷室内で氷を製造する冷蔵庫に関するものである。
【０００２】
【従来の技術】
従来、家庭用冷蔵庫においては、給水装置から供給された水を製氷皿に貯留して製氷し，製氷後に駆動装置により製氷皿を回動反転して離氷する自動製氷装置が普及している。中でも給水装置から複数回にわけて供給された水を貯留し順次製氷する製氷皿と，製氷後に離氷のため前記製氷皿を回動させて上下反転させる駆動装置と、この駆動装置により製氷皿を揺動させる構成としている製氷装置がある。
【０００３】
また、供給装置からの複数回の給水のうち最終回の給水分の製氷時のみ揺動を停させ製氷を完了させる構成としている。
【０００４】
さらに給水装置から供給された水を貯留して製氷する側壁に加熱部を取りつけた製氷皿であり、また揺動軸方向に仕切部を持ちその仕切部に切り欠き溝を設けると共にその切り欠き溝近傍に加熱部を持つ製氷皿であり、また製氷後前記製氷皿を揺動角度以上に正転と逆転の両方で回動させ，その両側の回動時に製氷皿の一端を系持し製氷皿を捻ることにより離氷させる駆動装置を持つ構成としている。
【０００５】
この構成によって、製氷時に製氷皿を揺動により氷結界面及び水面に振動を与える共に複数回にわけて順次給水と製氷を重ねることにより気泡の除去を容易にすることで無味無臭の比較的透明な氷を良好に作ることが出来る。
【０００６】
さらには側壁や仕切部に設けた加熱部により上面の製氷を遅らせると共に氷と氷の連結を解除し各氷を独立させることにより形を整えるとともに製氷皿と氷との離氷性を改良しさらに正転と逆転での両方の回動時に捻りを加えることにより永久変形を抑え少しの角度の捻りで離氷することが出来る（例えば、特許文献１参照。）。
【０００７】
【特許文献１】
特開２００１−２２１５４３号公報
【０００８】
【発明が解決しようとする課題】
しかしながら、前記の透明氷を作る従来の製氷機では電源投入時に給水タンクに水が入っている際、庫内温度が高いにもかかわらず製氷皿に水を供給し製氷皿を揺動させる動作に入ることによる消費電力の無駄遣い、機械的寿命を縮めるという問題点があった。また電源投入時はコンプレッサの動作音が大きくなるため静音性が確保できない上に製氷皿を揺動させるための駆動装置の音が重なり、より静音性の確保ができないという問題点があった。また揺動して生成させる氷は通常の氷に比べ精製にかかる時間が長くなる為、電源投入時から氷が生成されるまで時間がかかり効率的な氷の生成ができていないという問題点があった。
【０００９】
本発明は上記従来の問題点を解消するものであり、電源投入時などの庫内温度が通常時に比べて相違があるときに、庫内温度に応じて揺動の制御をすることにより機械部の保護、消費電力の低滅、静音性の確保と効率のよい氷の生成を提供することを目的としている。
【００１０】
【課題を解決するための手段】
本発明の請求項１に記載の発明は、製氷皿を回動して氷を離氷させる駆動装置により、製氷中に前記製氷皿を揺動させる機能を持つ自動製氷装置と、前記製氷皿が設けられた庫内の温度を検知する温度センサーとを備えたものであり、前記温度センサーが予め定めた所定温度以上を検知した時には，前記駆動装置による前記製氷皿の揺動動作を停止させる作用を有する。
【００１１】
【発明の実施の形態】
以下、本発明の実施例について、図１から図３に従い説明する。尚、自動製氷装置の冷蔵庫への取り付け構造と、自動製氷装置を揺動させる機構は従来例と同じであり図面とその詳細な説明を省略する。
【００１２】
（実施の形態１）
図１は冷蔵庫の実施例の部分縦断面図であり、図２は本発明による制御装置のブロック図であり、図３は同実施例における製氷動作を示すフローチャートである。
【００１３】
図１において、１は冷蔵庫で、２は冷蔵庫１に設けられた製氷室であり、製氷室２は、扉３と上断熱壁４と断熱壁５と後部断熱壁６とで囲まれている。
７は製氷室２の奥側に配置された隔壁であり、製氷室２へ冷風を導入するための開口部８が設けられている。
【００１４】
開口部８は後述の製氷皿１４の底面側へ冷風を送るための下開口部８ａと、製氷皿１４の上部へ冷風を送るための上開口部８ｂ、８ｃから成る。
９は後部断熱壁６と隔壁７とによって形成された冷機通路であり、下方に冷却器１０が配置され、冷却器１０の上方にはファン１１が配置されている。
【００１５】
冷却器１０で発生した冷気は、ファン１１によって冷気通路９内を強制循環される。
【００１６】
１２は開口部８の上開口部８ｂ、８ｃに設置され製氷室２内に流入する冷気量を制御するダンパー装置であり、上開口部８ｂ側にはダンパー装置１２ａが、上開口部８ｃ側にはダンパー装置１２ｂが装着されており、製氷室２内に設置された製氷室温度センサー１３からの情報に基づき上開口部８ｂ、８ｃの有効化以降面積を変化させる。
【００１７】
なお、ダンパー装置１２ａ、１２ｂにより上開口部８ｂ、８ｃを常時閉めたままにすれば、冷風は下開口部８ａのみから流入し、製氷皿１４の底面側に導かれる。これを第１冷風導入手段という。
【００１８】
また、ダンパー装置１２ａにより上開口部８ｂを常時閉じ、ダンパー装置１２ｂにより上開口部８ｃを常時開けたままにすれば、冷風は下開口部８ａと上開口部８ｂの両方から流入し、製氷皿１４の底面側と上部へ導かれる。これを第２冷風導入手段という。
【００１９】
また、ダンパー装置１２ａにより上開口部８ｂを常時開け、ダンパー装置１２ｂにより上開口部８ｃを常時閉めたままにすれば、下開口部８ａから製氷皿１４へ冷風が導かれ、上開口部８ｂからは温度の高い別の貯蔵室から冷風が製氷皿１４の上部へ導かれる。これを第３冷風導入手段という。
【００２０】
１４は製氷室内に配置された製氷皿であり、上方に広がった形状の複数の氷室１４ａに区分され、各氷室１４ａは供給された水を分配するための共通溝１４ｂで結ばれている。
【００２１】
１５は製氷皿１４を回転駆動するための駆動装置であり、駆動源であるステッピングモータ１６と、製氷皿１４の回転軸端部を保持して製氷皿１４へ回転を伝達する出力軸１７を有しており、出力軸１７は駆動装置１５のほぼ中央から突出している。
【００２２】
１８は製氷皿１４を支持する支持枠であり、製氷皿１４は回転軸の一端を駆動装置１５の出力軸１７に保持され、他端を支持枠１８に保持されている。
【００２３】
１８ａは支持枠１８と一体に整形された阻止部であり、支持枠１８の製氷皿１４を支持している側から製氷皿１４に向かって突出しており、製氷皿１４が水平位置から反時計方向に回転したとき、製氷皿１４のコーナー下面と当接し、製氷皿１４がさらに回転すると製氷皿１４は捻られることになる（これを捻り動作という。）。
【００２４】
捻り動作によって製氷皿１４から氷が分離されるが、その捻り角度が１０°から３０°の範囲で全ての氷が製氷皿１４から分離されており、３０°を越えて捻ることは動力の無駄であり、製氷皿１４のきしみ音発生要因にもなる。
したがって、本実施例では捻り角度を１０°以上３０°以下の範囲内に設定している。
【００２５】
１９は温度に応じて抵抗が変化する製氷センサーであり、製氷皿１４の外側底面センサーホルダー２０とによって挟まれ、製氷皿１４の外側底面に密着して表面の温度を検知している。
【００２６】
製氷皿１４に水が供給されたときは、製氷皿１４の底面の表面温度は上昇するので製氷センサー１９の抵抗は低くなり、氷が生成され製氷皿１４の底面表面温度が降下すると製氷センサー１９の抵抗は高くなる。
２１は製氷皿１２の下方に位置し製氷皿１４から放出された氷を蓄える貯氷箱である。
【００２７】
２２は貯氷箱２１内の氷量を検知する検氷レバーであり、一端を駆動装置１５に保持され、駆動装置１５によって回動し、貯氷箱２１内へ進入する。
【００２８】
このとき、貯氷箱２１内に氷が十分ある場合は、検氷レバー２２が氷に当たり貯氷箱２１の所定位置を越えて進入することができない。
【００２９】
一方、貯氷箱２１内の氷が不足している場合は、検氷レバー２２が氷に当たることなく貯氷箱２１の所定位置を越えて進入する。
【００３０】
２３は製氷皿１４へ供給する水を一時蓄えておくためのタンクであり、製氷室２とは別の貯蔵室に設置されている。
【００３１】
２４はタンク２３内の水を製氷皿１４へ供給する給水ポンプであり、給水ポンプ２４から吐出された水は給水パイプ２５を通って、製氷皿１４へ導入される。
【００３２】
図２において、２６はステッピングモータ１６の回転を制御する制御装置であり、コントローラ２７と駆動回路２８を有し、コントローラ２７には、駆動回路２８へパルスを出力するためのパルス出力手段２９と、パルス出力手段２９からのパルス出力数を計数するパルスカウント手段３０と、ステッピングモータ１６が所定角度回転するために必要なパルス出力数を記憶しておく基準パルス出力数記憶手段３１と、パルスカウント手段３０で計数されたパルス数を基準パルス出力数記憶手段３１に記憶されたパルス数と比較するパルス出力数比較手段３２と、製氷に揺動を与えるか否かを判断する電源投入センサー３３が内蔵されている。
【００３３】
以上のように構成された冷蔵庫について、その動作を説明する。
【００３４】
図３は、製氷室２内での製氷動作を示すフローチャートであり、冷蔵庫１へ電源が投入されると、ステップＳ１へ進み製氷室２の冷却が開始される。
【００３５】
ステップＳ２では製氷室２内の温度が−１０℃以下になっているか否かを確認し、−１０℃以下になっていればステップＳ３へ進み、−１０℃以下になっていなければステップＳ１へ戻り、製氷室２内の冷却を継続する。
【００３６】
ステップＳ３では製氷皿１４へ給水を行う。本実施例では給水ポンプ２４を５秒間駆動することによって、製氷皿１４内へ１００ｍｌの水が供給される。
ステップＳ４では製氷センサー１９によって製氷皿１４の温度が０℃以下になったか否かを確認し、０℃以下になっていればステップＳ５へ進み、０℃以下になっていなければステップＳ１７へ進み製氷室２の冷却を継続する。
【００３７】
ステップＳ５では電源投入直後始めての製氷動作かを判断し、電源投入直後最初の製氷であれば揺動動作を制御するためにステップＳ６へ進み、以降の製氷動作であればステップＳ２５へ進む。
【００３８】
ステップＳ６ではステップＳ５で電源投入直後であるという判断を受けると、電源投入後最初の製氷ということをうけて急速な氷の生成を達成するために通常の製氷を開始する。
【００３９】
ステップＳ７では製氷皿１４の温度が−３℃以下になっているか否かを確認し、−３℃以下になっていれば製氷皿１４内の水が全て凍結したと判断しステップＳ８へ進み、−３℃以下になっていなければ製氷皿１４内の水が未だ凍結していないと判断しステップＳ１８へ進み製氷室２の温度制御運転を継続する。
一方ステップＳ５において電源投入後２度目以降の製氷動作であるということを判断すれば、製氷皿１４が揺動動作を開始するために製氷室２内の温度制御運転を行うことによりステップＳ２５へ進む。
【００４０】
ステップＳ２５では製氷室２内の温度が−７℃以上−３℃以下の温度になるように温度制御運転を行う。
【００４１】
ステップＳ２６では製氷室２内の温度が−７℃以上−３℃以下になっているか否かを確認し、−７℃以上−３℃以下になっていればステップＳ２７へ進み、−７℃以上−３℃以下になっていなければステップＳ２５へ戻って製氷室２の温度制御運転を継続する。
【００４２】
ステップＳ７では製氷皿の水平位置を原点として回転軸周りに時計方向、反時計方向にそれぞれ５°回転するような揺動運動を開始する。本実施例では、０．１Ｈｚ、角度振幅１０°の揺動運動である。
【００４３】
ステップＳ２８では製氷皿１４の温度が−３℃以下になっているか否かを確認し、−３℃以下になっていれば製氷皿１４内の水が全て凍結したと判断しステップＳ２９へ進み、−３℃以下になっていなければ製氷皿１４内の水が未だ凍結していないと判断しステップＳ１９へ進み製氷室２の温度制御運転を継続する。
ステップＳ２９では製氷皿１４の揺動運動を停止し、通常製氷終了後と同じようにステップＳ８へ進む。
【００４４】
ステップＳ８では製氷皿１４の捻り動作を開始する。製氷皿１４の捻り動作を開始する。製氷皿１４の捻り動作は、製氷皿１４の端部を支持枠１８に配置された阻止部１８ａに当たる方向へ回転させ、製氷皿１４の端部が阻止部１８ａに当たってからも１０°〜３０°だけ回転させることで達成される。
【００４５】
このとき、製氷皿１４が捻られた際に発生する氷室１４ａ形状歪によって、氷室１４ａ内の氷が圧縮され、氷は氷室１４ａの側壁に沿って浮き上がり、製氷皿１４との密着状態を解消され製氷皿１４から分離される。
【００４６】
製氷皿１４の捻り動作は、駆動装置１５内の減速ギアによって毎秒０．５°の回転速度で行われ、製氷皿１４は従来冷蔵庫の製氷皿捻りの速度である毎秒２０°に比較して遅い速度で捻られるので、氷へ瞬時に応力が集中することがなくなり、氷の割れが解消され、製氷皿１４と氷と摩擦音やきしみ音が発生することもない。
【００４７】
本実施例では、製氷皿１４を水平位置から３０°回転する範囲で捻られるので、氷が製氷皿１４から落下することがなく何度でも捻ることが可能であり、捻り動作は複数回実施することによって製氷皿１４からの氷の分離が確実になるので、本実施例では２回実施している。
【００４８】
ステップＳ９では、製氷皿１４を水平位置へ戻し、製氷皿１４の捻り動作を停止する。
【００４９】
ステップＳ１０では製氷皿１４を反転させるために、コントローラ２７からステッピングモータ１６の駆動回路２８へ必要なパルスを出力する。なお、本実施例では駆動回路へ３２００パルス出力することでステッピングモータ１６は製氷皿１４を１６０°回動させることができ、このとき氷はすでに製氷皿１４との分離を完了しているので製氷皿１４の下方に設けられた貯水箱２１へ簡単に放出される。（これを氷放出作用という）なお、本実施例では氷放出動作時には製氷皿１４への捻りを与えていないが、もちろん捻りを与えても良い。これによって、製氷皿１４からの氷放出はより確実なものとなる。
【００５０】
パルス出力手段２９から出力されたパルス数はパルスカウント手段３０で計数され、パルスカウント手段３０で計数されるパルス数は、パルス出力数比較手段３２へ入力される。パルス出力数比較手段３２は、基準パルス出力記憶手段３１にあらかじめ設定された設定パルス数を比較し、入力パルス数が設定パルス数に到達すると、パルス出力手段２９へ信号を送る。
【００５１】
本実施の形態では、パルス出力手段２９はパルス出力数比較手段３２からパルス出力数が３２００に到達したことを知らせる信号を受けて、パルス出力を停止し、ステッピングモータ１６の駆動を停止する。
【００５２】
ステップＳ１１ではコントローラ２７からステッピングモータ１６の駆動回路２８へのパルス出力が完了したか否かを確認し、出力が完了していればステップＳ１２へ進み、出力が完了していなければ確認を継続する。
【００５３】
ステップＳ１２では検知スイッチ１５ａオンか否かを確認する。本実施の形態はステッピングモータ１６の駆動回路２８へのパルス出力が完了した時点で、製氷皿１４が１６０°の反転位置へ到達し、製氷皿１４が１６０°反転した位置で検知スイッチ１５ａがオンするものである。
【００５４】
従って、検知スイッチ１５ａがオンしていれば正常に動作したと判断し、ステップＳ１３へ進む。
【００５５】
一方、ステッピングモータ１６の駆動回路２８へのパルス出力が完了しているにもかかわらず、検知スイッチ１５ａがオンしていなければ製氷皿１４が正常位置で停止していないことであり異常と判断し、ステップＳ２０へ進み待機する。一定時間待機することにより、例えば使用者が誤って製氷皿の下方に食品などを放置し、ステッピングモータ１６の回転にもかかわらず製氷皿１４が回転できなくなっていても、所定のパルス出力が完了した時点で検知スイッチ１５ａが動作しないことから制御装置２６は異常と判断し、次のパルス出力を控え製氷皿１４や駆動装置１５へ過分な負荷がかかるのを防止する。
【００５６】
ステップＳ１３では製氷皿１４を水平位置へ復帰させるため、コントローラ２７からステッピングモータ１６の駆動回路２８へ必要なパルスを出力する。
パルス出力手段２９から出力されたパルス数はパルスカウント手段３０で計数され、パルスカウント手段３０で計数されるパルス数は、パルス出力数比較手段３２へ入力される。パルス出力数比較手段３２は、基準パルス数記憶手段３１にあらかじめ設定された設定パルス数と、パルスカウント手段３０からの入力パルス数を比較し、入力パルス数が設定パルス数に到達すると、パルス出力手段２９へ信号を送る。
【００５７】
本実施の形態では、パルス出力手段２９はパルス出力数比較手段３２からパルス出力数が３２００に到達したことを知らせる信号を受けて、パルス出力を停止し、ステッピングモータ１６の駆動を停止する。
【００５８】
ステップＳ１４ではコントローラ２７からステッピングモータ１６の駆動回路２８へのパルス出力が完了したか否かを確認し、出力が完了しておればステップＳ１５へ進み、出力が完了していなければ確認を継続する。
【００５９】
ステップＳ１５では検知スイッチ１５ａがオンか否かを確認する。本実施の形態はステッピングモータ１６の駆動回路２８へのパルス出力が完了した時点で、製氷皿１４が水平位置へ到達し、検知スイッチ１５ａがオンするものである。
【００６０】
従って、検知スイッチ１５ａがオンしていれば正常に動作したと判断し、ステップＳ１６へ進む。
【００６１】
そして、ステッピングモータ１６の駆動回路２８へのパルス出力が完了しているにもかかわらず、検知スイッチ１５ａがオンしていなければ製氷皿１４が正常位置で停止していないことであり異常と判断し、ステップ２１へ進み待機する。
【００６２】
一定時間待機することで、例えば使用者が誤って製氷皿の下方に食品などを放置し、ステッピングモータ１６の回転にもかかわらず製氷皿１４が回転できなくなっていても、所定のパルス出力が完了した時点で検知スイッチ１５ａが動作しないことから制御装置２６は異常と判断し、次のパルス出力を控え製氷皿１４や駆動装置１５へ過分な負荷がかかるのを防止する。
【００６３】
ステップＳ１３では製氷皿１４を水平位置へ復帰させるため、コントローラ２７からステッピングモータ１６の駆動回路２８へ必要なパルスを出力する。
【００６４】
ステップＳ１６では貯氷箱２１内の氷の貯氷量が不足しているか否かを確認する。
【００６５】
貯氷量の確認は検氷レバー２２を貯氷箱２１内へ進入させ、貯氷量が不足していれば検氷レバー２２が貯氷箱２１内の所定位置まで到達し、貯氷量が充分ならば、検氷レバー２２は貯氷箱２１内の氷に当たり、貯氷箱２１内の所定位置に到達できない。
【００６６】
従って、検氷レバー２２が貯氷箱２１内の所定位置に到達するか否かで、貯氷量が不足しているかどうかを判定することができ、本実施例では検氷レバー２２が貯氷箱２１内の所定位置に到達すると駆動装置１５内に内蔵された検知スイッチ１５ａがオンして、庫氷量が不足していることを制御装置２６へ知らせる。
【００６７】
ここで、貯氷量が不足していればステップＳ１へ戻り製氷動作を継続し、不足していなければステップＳ２４へ進み製氷室２の温度制御運転を継続する。
【００６８】
ステップＳ２０では一定時間経過したか否かを確認し、一定時間経過していればステップＳ２２へ進み、一定時間経過していなければステップＳ３０へ進んで製氷室２の温度制御運転を継続する。
【００６９】
ステップＳ２２では製氷皿１４を水平位置へ復帰させる動作を行い、ステップＳ２４へ進む。
【００７０】
ステップＳ２３では検知スイッチ１５ａがオンか否かを確認する。本実施例はコントローラ２７からステッピングモータ１６の駆動回路２８へ、製氷皿１４が水平位置へ到達した時点で、検知スイッチ１５ａがオンするものである。
【００７１】
従って、検知スイッチ１５ａがオンすれば正常に動作したと判断し、ステップＳ１０へ戻り、オンしていなければステップＳ３１へ進み、製氷室２の温度制御運転を継続しつつ、ステップＳ２０へ戻り一定時間の待機に入る。
【００７２】
一定時間の待機を行うことにより、例えば使用者が誤って製氷皿の下方に食品などを放置し、ステッピングモータ１６の回転にもかかわらず製氷皿１４が回転できなくなっていても、所定のパルス出力が完了した時点で検知スイッチ１５ａが動作しないことから制御装置２６は異常と判断し、次のパルス出力を控えるのでステッピングモータ１６へ過分な負荷がかかるのを回避し異常発熱を防止する。
【００７３】
以上のように、製氷室２に配置された製氷皿１４と、製氷皿１４を回転させる出力軸１７を有し出力軸１７によって製氷皿１４を所定角度回転させて氷を前記製氷皿１４から放出させる駆動装置１５と、駆動装置１５の駆動源であるステッピングモータ１６の回転を制御する制御装置２６とを備え、電源投入時の製氷には揺動運動を与えず通常製氷を行い、製氷室２内の温度を−７℃以上−３℃以下に維持し、製氷皿１４に供給された水が氷になるまで製氷皿１４へ駆動装置１５によって揺動装置１５によって揺動を与え、氷を製氷皿１４から分離させる際には製氷皿１４の捻りの角度を１０°以上３０°以下の範囲で行い、製氷皿１４の捻りの時間を１０秒以上かけて行う構成にした。
【００７４】
【発明の効果】
以上説明したように本発明の請求項１に記載の発明は、製氷動作に電源投入時の氷の生成を通常の生成とする制御を用いたもので、製氷皿内の氷は電源投入時には通常の氷が生成される。
【００７５】
これによって上記の制御を有する自動製氷装置は電源投入時の氷の生成の時間の短縮化が図れる。
【００７６】
さらに、電源投入時の冷蔵庫の騒音が大きいことに対し、揺動運動を与えないことにより低騒音化が図れる。
【００７７】
また、揺動運動をしないことにより揺動に使用されるモータは動作しないので省エネルギー化が図れる。
【００７８】
また、揺動運動をしないことにより揺動に使用されるモータは動作しないので機械の保護が可能なものとなり、機械的寿命が延びるという利点がある。
【００７９】
そして、製氷室内の温度が−７℃以上−３℃以下に維持できれば製氷皿は揺動運動を開始するので、従来どおり揺動作用によってできる無味無臭の比較的透明な氷を良好に作ることが出来る。
【図面の簡単な説明】
【図１】本発明による冷蔵庫の実施の形態１の部分縦断面図
【図２】同実施の形態の制御装置のブロック図
【図３】同実施の形態の製氷動作を示すフローチャート
【符号の説明】
１    冷蔵庫
２    製氷室
１４  製氷皿
１６  ステッピングモータ
１７  出力軸
２６  制御回路
【図１】
2004293965.tif 000003
【図２】
2004293965.tif 000004
【図３】
2004293965.tif 000005